(57)【要約】【課題】この発明は、うろこ取り器の形状を特殊な形状に形成し、うろこが飛散せず、魚の身を傷めることがなく、スムーズに作業が行え、バリバリという音もなく、静かに作業でき、また、床や壁の塗布物、あるいは貼着物の除去にも活用できる便利なうろこ取り器を開発・提供することにある。【解決手段】うろこ取り器において、本体（１）の形状を、直径４０〜１５０ｍｍの円形底に形成し、該円形底の縁と側面との角度（α）を、３０〜５０度に形成して刃部とし、該刃の角度を高さ１５〜４０ｍｍの円錐台形状に形成すると共に、かつ、該本体（１）に支軸（２）を設け、該支軸（２）の末端に握持柄部（３）を設けたことを特徴とするうろこ取り器より構成されるものである。【選択図】          図３
2004290046.tif 000002
【特許請求の範囲】
【請求項１】
うろこ取り器において、本体の形状を、適宜な直径寸法の円形底に形成し、該円形底の縁と側面との角度を、適宜な角度に形成して刃部とすると共に、該本体を適宜な寸法の高さをの円錐台形状に形成し、かつ、該本体に支軸を設け、該支軸の末端に握持柄部を設けたことを特徴とするうろこ取り器。
【請求項２】
うろこ取り器において、本体の形状を、適宜な直径寸法の円形底に形成し、該円形底の縁と側面との角度を、適宜な角度に形成して刃部とすると共に、該本体を適宜な寸法の高さをの円錐台形状に形成し、かつ、該本体に支軸を設け、該支軸の末端に握持柄部を設け、前記本体の円底面をゆるやかな倒伏碗状の凹部に形成したことを特徴とするうろこ取り器。
【請求項３】
うろこ取り器において、本体の形状を、適宜な直径寸法の円形底に形成し、適宜な高さ寸法の円錐台形状に形成し、かつ、円錐台形状の本体の高さ寸法の半分よりやや上部に支軸を取り付けたことを特徴とするうろこ取り器。
【請求項４】
うろこ取り器において、本体の素材を、耐腐性の金属製、セラミック製、強化プラスチック製から選ばれた材料であることを特徴とする特許請求の範囲第１項または２項または３項記載のうろこ取り器。
【発明の詳細な説明】
【０００１】
【発明の属する技術分野】
この発明は、魚のうろこ取り器に関するものである。
【０００２】
【従来の技術】
従来、うろこ取り器は種々存在するが、使用すると、魚のうろこが、ところ構わず飛散してしまい、一般家庭の狭い台所では、その掃除も大変であるという欠点があった。そのため、金具の骨組にビニールネットを取り付け、うろこの散乱を防ぐ、魚うろこため器具が存在する。（例えば、特許文献１参照）
しかし、魚体のうろこ取り作業をするシンク付近に、このような魚うろこため器具を設けることは、作業の邪魔となるものであった。
【０００３】
さらに、従来のうろこ取り器では、全体の形を三角形に形成したものが存在する。（例えば、特許文献２）
が、うろこを除去する際、魚体に加える力もかなり要するものであり、その結果、魚体にも圧力がかかり過ぎて、魚体の身を傷め、魚体の姿が一目で見える塩焼きや煮物においては、味はよくても、見た目に、美麗な仕上がりとならないものであった。
【０００４】
【特許文献１】
実願平５−８０２８５（第３頁、図１）
【特許文献２】
登録第３０３２４９０号（第３頁、図１、図２）
【０００５】
さらに、従来のうろこ取り器では、小魚等においては、小さいうろこは取り残されており、食した場合に、そのうろこが口に残り、下ごしらえに手を抜いたように思われ、大変、料理をする側にとっては不都合なものであった。
【０００６】
【発明が解決しようとする課題】
そこで、この発明は、うろこ取り器の形状を特殊な形状に形成し、うろこが飛散せず、魚の身を傷めることがなく、スムーズに作業が行え、バリバリという音もなく、静かに作業でき、また、床や壁の塗布物、あるいは貼着物の除去にも活用できる便利なうろこ取り器を開発・提供することにある。
【０００７】
【課題を解決するための手段】
この発明は、うろこ器の本体の形状を円錐台に形成し、刃の角度を３０〜５０度に形成することにより、魚のうろこに対する抵抗を極少にし、うろこ取り器の本体に接続される支軸の握持柄部の取り付け位置を、本体の高さ寸法の中心よりやや上部に取り付けることにより、本体を左右方向にスライドしながら使用する場合に、必要以上の力を加えて押さえなくてもよく、スムーズにうろこ取りのできるうろこ取り器である。
【０００８】
【発明の実施の形態】
そこで、この発明の一実施例を図面に基づいて詳細に説明すると、うろこ取り器において、本体（１）の形状を、直径４０〜１５０ｍｍの円形底に形成し、該円形底の縁と側面との角度（α）を、３０〜５０度に形成して刃部とし、該刃の角度を高さ１５〜４０ｍｍの円錐台形状に形成すると共に、かつ、該本体（１）に支軸（２）を設け、該支軸（２）の末端に握持柄部（３）を設けたことを特徴とするうろこ取り器より構成されるものである。
【０００９】
次に、この発明の他の実施例を図面に従って説明すると、うろこ取り器において、本体（１）の形状を、直径４０〜１５０ｍｍの円形底に形成し、高さ１５〜４０ｍｍの円錐台形状に形成すると共に、該本体（１）に支軸（２）を設け、該支軸（２）の末端に握持柄部（３）を設け、かつ、円錐台形状の本体（１）の円底面をゆるやかな倒伏碗状の凹部（Ｘ）に形成したことを特徴とするうろこ取り器から構成されるものである。
【００１０】
さらに、この発明の他の実施例を図面に従って説明すると、うろこ取り器において、本体（１）の形状を、直径４０〜１５０ｍｍの円形底に形成し、高さ１５〜４０ｍｍの円錐台形状に形成し、かつ、円錐台形状の本体（１）の高さ寸法（β）の半分よりやや上部に支軸（２）を取り付けたことを特徴とするうろこ取り器から構成されるものである。
【００１１】
そして、うろこ取り器の素材は、例えば、ステンレスなどの耐腐性の金属製であったり、セラミック製であったり、強化プラスチック製であり、これらから選ばれたものである。
【００１２】
【発明の効果】
この発明によると、本体（１）の形状を円錐台形状に形成した上に、刃の角度を３０〜５０度に形成することにより、魚体の大きいスズキ、タイ等のうろこはもちろん、ヒラメ、カレイ等のような小さい魚体のうろこに対しても、抵抗を極く少なくしながらうろこ取りができる。
【００１３】
また、円錐台状の本体（１）の支軸（２）に取り付けた握持柄部（３）の位置を、本体（１）の高さ寸法（β）の半分よりやや上部に設けることにより、本体（１）を左右方向にスライドさせながら使用すると、力で押さえなくても、進行方向に対して自然に傾く力と押さえる力とが同時に働き、必要以上に力を加えなくてもスムーズに鱗が取り除ける。
【００１４】
さらに、この発明によると、円錐台形状の本体（１）の円底面をゆるやかな倒伏碗状の凹部（Ｘ）に形成したことにより、魚体に沿った形状となり、魚体を傷めない魚体の表面を移動させても、魚体を傷つけることがなく、うろこも飛散しない。
【００１５】
そして、このような円錐台形状の本体（１）を設けることにより、デザイン的にもすぐれ、一般家庭のキッチンに置いても、他の調理器具との違和感もなく、その素材もステンレスなどの耐腐性の金属製であったり、セラミック製であったり、強化プラスチック製とすることにより、従来のうろこ取り器とは比べものにならず、後かたずけも楽である等極めて有効なる効果を奏するものである。
【図面の簡単な説明】
【図１】この発明の一実施例を示す平面図である。
【図２】この発明の一実施例を示す正面図である。
【図３】この発明の一実施例を示す一部欠截断面図である。
【図４】この発明の他の実施例を示す正面図である。
【符号の説明】
１  本体
２  支軸
３  握持柄部
α  円形底の縁と側面との角度
β  円錐台形状の本体（１）の高さ寸法
Ｘ  凹部
【図１】
2004290046.tif 000003
【図２】
2004290046.tif 000004
【図３】
2004290046.tif 000005
【図４】
2004290046.tif 000006
【手続補正書】
【提出日】平成15年4月10日(2003.4.10)
【手続補正１】
【補正対象書類名】明細書
【補正対象項目名】請求項１
【補正方法】変更
【補正の内容】
【請求項１】
うろこ取り器において、本体の形状を、中空の半球体、または、適宜な直径寸法の円形底に形成し、該円形底の縁と側面との角度を、適宜な角度に形成して刃部とすると共に、該本体を適宜な寸法の高さをの円錐台形状に形成し、かつ、該本体に支軸を設け、該支軸の末端に握持柄部を設けたことを特徴とするうろこ取り器。
【手続補正２】
【補正対象書類名】明細書
【補正対象項目名】００１１
【補正方法】変更
【補正の内容】
【００１１】
そして、うろこ取り器の他の形状としては、中空の半球体であってもよく、また、うろこ取り器の素材は、例えば、ステンレスなどの耐腐性の金属製であったり、セラミック製であったり、強化プラスチック製であり、これらから選ばれたものである。